(57)【要約】本発明は、針刺し防止機能を有する輸液注射針ユニットに関する。より詳しくは、カバー、針胴体、及び胴体ユニットの形状を改善し、輸液注射針ユニットの針胴体を患者に注入した後、カバーを胴体ユニットの下端に結合させ、着脱部材により針胴体を脱着させることができることで、針と針胴体とを一体としてカバー内に引き込むことができるので、注射針による針刺し及び感染を防止する針刺し防止機能を有する輸液注射針ユニットを提供する。【選択図】図５
2016527069.tif 000002
【特許請求の範囲】
【請求項１】
輸液注射針ユニットにおいて、  
患者の血管に引き込まれる針フィルムと、  
上端から下端を貫通する内部空間である挿入孔と、上端外周面に形成された上端係止段差と、下端外周面に形成された下端係止段差とを有する胴体ユニットと、  
前記針フィルムの注射前に、前記胴体ユニットの挿入孔に着脱部材により固定され、前記針フィルムの注射後に脱着される針胴体と、  
前記胴体ユニットの上端に突出固定され、前記針フィルムの注射前に、外面に前記針フィルムの注入孔に挿入される針と、  
上端は閉塞され、下端は開放した内部空間を有し、前記針フィルムの注射前に、端部が前記上端係止段差に固定され、前記針フィルムの注入後に、端部が前記下端係止段差に固定されるカバーとを含むことを特徴とする針刺し防止機能を有する輸液注射針ユニット。
【請求項２】
前記針フィルムを患者の血管に引き込むために、  
前記カバーを脱着させ、前記針と前記針フィルムとを前記患者の血管に引き込んだ後、前記針フィルムだけが前記患者の血管に引き込まれた状態に維持されるように、前記針フィルムを輸液注射針ユニットの針から脱着、分離させ、前記カバーを前記下端係止段差に固定し、前記脱着部材によって前記針胴体を脱着させ、前記針胴体と前記針とを前記カバー内に保持することを特徴とする請求項１に記載の針刺し防止機能を有する輸液注射針ユニット。
【請求項３】
前記着脱部材は、  
前記針胴体の外面一側に形成された装着突起と、前記挿入孔の内面一側に形成された係止溝とを備えることを特徴とする請求項１に記載の針刺し防止機能を有する輸液注射針ユニット。
【請求項４】
輸液注射針ユニットにおいて、  
患者の血管に引き込まれ、下端に拡管部を有する針フィルムと、  
上端から下端を貫通する内部空間である挿入孔と、上端外周面に形成された上端係止段差と、下端外周面に形成された下端係止段差と、上端に設けられた挿入ユニットとを有する胴体ユニットと、  
前記針フィルムの注射前に、前記胴体ユニットの挿入ユニット内に挿入されて、前記針フィルムの拡管部によって固定され、前記針フィルムの注射後に脱着される針胴体と、  
前記胴体ユニットの上端に突出固定され、前記針フィルムの注射前に、外面に前記針フィルムの注入孔に挿入される針と、  
上端は閉塞され、下端は開放した内部空間を有し、前記針フィルムの注射前に、端部が前記上端係止段差に固定され、前記針フィルムの注入後に、端部が前記下端係止段差に固定されるカバーとを含むことを特徴とする針刺し防止機能を有する輸液注射針ユニット。
【請求項５】
前記針フィルムを患者の血管に引き込むために、  
前記カバーを脱着させ、前記針と前記針フィルムとを前記患者の血管に引き込んだ後、前記針フィルムだけが前記患者の血管に引き込まれた状態に維持されるように、前記針フィルムを輸液注射針ユニットの針から脱着、分離させ、前記カバーを前記下端係止段差に固定し、前記針フィルムの脱着により、前記針胴体が挿入ユニットから着脱されて、前記針胴体と前記針とが前記カバー内に保持されることを特徴とする請求項４に記載の針刺し防止機能を有する輸液注射針ユニット。
【発明の詳細な説明】
【技術分野】
【０００１】
本発明は、針刺し及び感染防止機能を有する輸液注射針ユニットに関する。
【背景技術】
【０００２】
一般に、口腔で必須栄養を適切に摂取できない患者に、輸液、電解質、ビタミン、タンパク質、脂肪、及びカロリーなどを維持／補うか、血液の構成成分を適切に維持するため、又は応急状態で薬物を迅速に供給するために、病院では、輸液注射器などを介して、患者の静脈内に輸液又は薬物を投与する。
【０００３】
輸液注射器を介して、患者の静脈内に輸液又は薬物を投与するためには、まず、血管注射用の針フィルムを患者の血管に注入した後、針フィルムのホース連結口に輸液ホースを連結させる。
【０００４】
図１は、針フィルム２０を患者の血管に注入するための、従来の輸液注射針ユニット１の正面図であり、図２は、カバー１０が脱着された状態での従来の輸液注射針ユニット１の正面図であり、図３は、患者に輸液注射針ユニット１を注射し、針フィルム２０だけが脱着された状態を模式的に示す状態図であり、図４は、針フィルム２０が脱着された状態における従来の輸液注射針ユニット１の正面図である。
【０００５】
図１に示しているように、従来の輸液注射針ユニット１は、カバー１０と、針フィルム２０と、針３１と、胴体ユニット４０とを含む。針フィルム２０を注入する前には、カバー１０が胴体ユニット４０の上端に装着されている。
【０００６】
また、図２に示しているように、針フィルム２０を注射するために、カバー１０を脱着させ、図３に示しているように、患者の血管に、針３１と針フィルム２０とを一体として注射することになる。そして、針フィルム２０だけを血管に残しておき、輸液注射針１は抜く。
【０００７】
しかし、従来の輸液注射針ユニット１から針フィルム２０を脱着することになると、図４に示しているように、針３１が外部に露出して、針３１による針刺しが生じる危険がある。そこで、針フィルム２０の注入前後に、根本的に針刺しを防止する方法が求められている。
【発明の概要】
【発明が解決しようとする課題】
【０００８】
本発明は、上記のような従来の問題点を解決するためになされたものであって、本発明の１実施例によると、カバー、針胴体、及び胴体ユニットの形状を改善し、輸液注射針ユニットの針胴体を患者に注入してから、カバーを胴体ユニットの下端に結合させ、着脱部材により針胴体を脱着することで、針と針胴体とを一体としてカバー内部に引き込むので、注射針による針刺し及び感染を防止することができる針刺し防止機能を有する輸液注射針ユニットを提供することになる。
【課題を解決するための手段】
【０００９】
本発明の第１目的は、輸液注射針ユニットにおいて、患者の血管に引き込まれる針フィルムと、上端から下端を貫通する内部空間である挿入孔と、上端外周面に形成された上端係止段差と、下端外周面に形成された下端係止段差とを有する胴体ユニットと、前記針フィルムの注射前に、前記胴体ユニットの挿入孔に着脱部材により固定され、前記針フィルムの注射後に脱着される針胴体と、前記胴体ユニットの上端に突出固定され、前記針フィルムの注射前に、外面に前記針フィルムの注入孔に挿入される針と、上端は閉塞され、下端は開放した内部空間を有し、前記針フィルムの注射前に、端部が前記上端係止段差に固定され、前記針フィルムの注入後に、端部が前記下端係止段差に固定されるカバーとを含む針刺し及び感染防止機能を有する輸液注射針ユニットをもって、達成される。
【００１０】
また、前記針フィルムを患者の血管に引き込むために、前記カバーを脱着させ、前記針と前記針フィルムとを前記患者の血管に引き込んだ後、前記針フィルムだけが前記患者の血管に引き込まれた状態に維持されるように、前記針フィルムを輸液注射針ユニットの針から脱着、分離させ、前記カバーを前記下端係止段差に固定し、前記脱着部材によって前記針胴体を脱着させ、前記針胴体と前記針とを前記カバー内に保持することを特徴とする。
【００１１】
更に、前記着脱部材は、前記針胴体の外面一側に形成された装着突起と、前記挿入孔の内面一側に形成された係止溝とを備えることを特徴とする。
【００１２】
本発明の第２目的は、輸液注射針ユニットにおいて、患者の血管に引き込まれ、下端に拡管部を有する針フィルムと、上端から下端を貫通する内部空間である挿入孔と、上端外周面に形成された上端係止段差と、下端外周面に形成された下端係止段差と、上端に設けられた挿入ユニットとを有する胴体ユニットと、前記針フィルムの注射前に、前記胴体ユニットの挿入ユニット内に挿入されて、前記針フィルムの拡管部によって固定され、前記針フィルムの注射後に脱着される針胴体と、前記胴体ユニットの上端に突出固定され、前記針フィルムの注射前に、外面に前記針フィルムの注入孔に挿入される針と、上端は閉塞され、下端は開放した内部空間を有し、前記針フィルムの注射前に、端部が前記上端係止段差に固定され、前記針フィルムの注入後に、端部が前記下端係止段差に固定されるカバーとを含む針刺し防止機能を有する輸液注射針ユニットをもって、達成される。
【００１３】
また、前記針フィルムを患者の血管に引き込むために、前記カバーを脱着させ、前記針と前記針フィルムとを前記患者の血管に引き込んだ後、前記針フィルムだけが前記患者の血管に引き込まれた状態に維持されるように、前記針フィルムを輸液注射針ユニットの針から脱着、分離させ、前記カバーを前記下端係止段差に固定し、前記針フィルムの脱着により、前記針胴体が挿入ユニットから着脱されて、前記針胴体と前記針とが前記カバー内に保持されることを特徴とする。
【発明の効果】
【００１４】
本発明によると、カバー、針胴体、及び胴体ユニットの形状を改善し、輸液注射針ユニットの針胴体を患者に注入してから、カバーを胴体ユニットの下端に結合させ、着脱部材により針胴体を脱着することで、針と針胴体とを一体としてカバーの内部に引き込むので、注射針による針刺し及び感染を防止することができる。
【図面の簡単な説明】
【００１５】
【図１】図１は、従来の輸液注射針ユニットの正面図である。
【図２】図２は、カバーが脱着した状態での従来の輸液注射針ユニットの正面図である。
【図３】図３は、患者に輸液注射針ユニットを注射し、針フィルムだけが脱着した状態を模式的に示す状態図である。
【図４】図４は、針フィルムが脱着した状態での従来の輸液注射針ユニットの正面図である。
【図５】図５は、本発明の第１実施例による針刺し及び感染防止機能を有する輸液注射針ユニットの分解斜視図である。
【図６】図６は、本発明の第１実施例による針刺し及び感染防止機能を有する輸液注射針ユニットの断面図である。
【図７】図７は、本発明の第１実施例によるカバーが脱着した状態の、針刺し及び感染防止機能を有する輸液注射針ユニットの断面図である。
【図８】図８は、本発明の第１実施例による針フィルムが脱着した状態の、針刺し及び感染防止機能を有する輸液注射針ユニットの断面図である。
【図９】図９は、本発明の第１実施例により、針と針胴体とが、胴体ユニットの下端部に装着されたカバー内に挿入した状態の、針刺し及び感染防止機能を有する輸液注射針ユニットの断面図である。
【図１０】図１０は、本発明の第２実施例による針刺し及び感染防止機能を有する輸液注射針ユニットの分解斜視図である。
【図１１】図１１は、本発明の第２実施例による針刺し及び感染防止機能を有する輸液注射針ユニットの断面図である。
【図１２】図１２は、本発明の第２実施例によるカバーが脱着した状態の、針刺し及び感染防止機能を有する輸液注射針ユニットの断面図である。
【図１３】図１３は、本発明の第２実施例による針フィルムが脱着した状態の、針刺し及び感染防止機能を有する輸液注射針ユニットの断面図である。
【図１４】図１４は、本発明の第２実施例により、針と針胴体とが、胴体ユニットの下端部に装着されたカバー内に挿入した状態の、針刺し及び感染防止機能を有する輸液注射針ユニットの断面図である。
【発明を実施するための形態】
【００１６】
以下では、本発明の１実施例による針刺し及び感染防止機能を有する輸液注射針ユニット１００の構成及び機能について、説明する。本発明の１実施例による針刺し及び感染防止機能を有する輸液注射針ユニット１００は、従来の針刺し及び感染を防止するため、カバー１０が胴体ユニット４０の下端に挿入固定され、針フィルム２０を患者に注射して脱着させた後、針３１と針胴体３０とを一体としてカバー１０内に挿入する構造を有している。
【００１７】
図５は、本発明の第１実施例による針刺し及び感染防止機能を有する輸液注射針ユニット１００の分解斜視図であり、図６は、本発明の第１実施例による針刺し及び感染防止機能を有する輸液注射針ユニット１００の断面図である。
【００１８】
図５及び図６に示しているように、本発明の第１実施例による針刺し及び感染防止機能を有する輸液注射針ユニット１００は、カバー１０と、針フィルム２０と、針３１と、針胴体３０と、胴体ユニット４０とを含む。
【００１９】
図５に示しているように、本発明の第１実施例によるカバー１０は、上端が閉塞され、下端は開放されており、内部に中空孔が形成されて、針フィルム２０が患者の血管に引き込まれる前に、針フィルム２０と針３１が内部に保持されて、針刺し及び感染を防止する役目を果たし、後述するように、針フィルム２０が患者の血管に引込み脱着した後、胴体ユニット４０の下端係止段差４４に装着されて、針３１と針胴体３０とを内部に保持して、針刺し及び感染を防止することになる。
【００２０】
図５及び図６に示しているように、カバー１０の下端内面に、装着溝１１が形成されて、後述するように、胴体ユニット４０の上端外側面に円周方向に形成された上端係止段差４３に装着されることができ、針フィルム２０が患者の血管に引込み脱着した後は、胴体ユニット４０の下端外側面に円周方向に形成された下端係止段差４４に装着されることになる。
【００２１】
また、本発明の第１実施例によるカバー１０の閉塞面の上端内部の一側には、吸収層１３が設けられて、針フィルム２０の注射時に生じる血液などを吸収して、感染を防止する。また、内部中段の一側には、後述するように、針刺し及び感染を防止するために、使用後、針３１と針胴体３０とがカバー内に引き込まれるとき、外部にずれることを防止するずれ止め１２が設けられる。
【００２２】
また、本発明の第１実施例による針フィルム２０は、通常の針フィルムのように、内部に針３１が挿入され、針３１と針フィルム２０とを患者の血液に注射した後、針フィルム２０だけが脱着するようになる。針フィルム２０の下端には、拡管部２１が形成され、内部に注入孔２２が形成される。そこで、このような拡管部２１は、注入前に、針胴体の上端外面に嵌合し、針フィルム２０を患者の血管に注入した後は、輸液注入ホースが針フィルム２０の拡管部２１に挿入・装着することになる。
【００２３】
本発明の第１実施例による針胴体３０は、図５及び図６に示しているように、上端に針３１が挿入固定され、外面一側に装着突起３２が形成されている。このような針胴体３０は、弾性体からなることが望ましい。また、本発明の第１実施例による針胴体３０は、胴体ユニット４０の挿入孔４１に挿入装着され、胴体ユニット４０の挿入孔４１内に形成された係止溝４２に、針胴体３０の装着突起３２が装着固定される。また、針胴体は、弾性体からなることで、ユーザが針胴体３０の上端から下端に付勢する場合、装着突起３２が係止溝４２からすり抜けながら、下端に落下するようになる。
【００２４】
本発明の第１実施例による胴体ユニット４０には、図５及び図６に示しているように、上端外周面に形成された上端係止段差４３と、下端外周面に形成された下端係止段差４４と、内部を貫通する挿入孔４１とが形成されている。そこで、針フィルム２０を患者の血管に引き込む前の保管状態において、カバー１０の装着溝１１は、胴体ユニット４０の上端係止段差４３に装着固定され、針フィルム２０を注射して脱着した後は、カバー１０の装着溝１１が、胴体ユニット４０の下端係止段差４４に装着固定される。そして、針胴体３０は、胴体ユニット４０の挿入孔４１に挿入固定することになる。
【００２５】
以下では、本発明の第１実施例による針刺し及び感染防止機能を有する輸液注射針ユニット１００の作動方法について、説明する。まず、針フィルム２０を患者の血管に注射する前の保管状態では、図６に示しているように、針胴体３０が胴体ユニット４０の挿入孔４１に挿入固定され、針フィルム２０が針３１に挿入した状態で、カバー１０の装着溝１１が、胴体ユニット４０の上端係止段差４３に装着固定されることで、針３１と針フィルム２０からの針刺し及び感染を防止することができるようになる。
【００２６】
針フィルム２０を患者に注射するため、ユーザは、まず、カバー１０を脱着する。図７は、本発明の第１実施例によるカバー１０を、胴体ユニット４０の上端係止段差４３から着脱させ、再度、カバー１０を下端係止段差４４に固定した状態の、針刺し及び感染防止機能を有する輸液注射針ユニット１００の断面図である。
【００２７】
図７に示しているように、本発明の第１実施例による針刺し及び感染防止機能を有する輸液注射針ユニット１００の針フィルム２０を患者に注射するためには、まず、胴体ユニット４０の上端係止段差４３に装着したカバー１０を脱着させ、下端係止段差４４に固定する。そして、針３１と針フィルム２０とを一体として患者の血管に引き込ませ、針フィルム２０だけを血管に注入した状態で、本発明の第１実施例による針刺し及び感染防止機能を有する輸液注射針ユニット１００を抜く。
【００２８】
図８は、本発明の第１実施例による針フィルム２０が脱着した状態の、針刺し及び感染防止機能を有する輸液注射針ユニット１００の断面図である。すなわち、図８は、針フィルム２０を患者の血管に注射して着脱した状態の、針刺し及び感染防止機能を有する輸液注射針ユニット１００を示している。
【００２９】
本発明の第１実施例では、針フィルム２０を脱着した後、すなわち、輸液注射針ユニット１００を使用した後、針刺し及び感染を防止するため、カバー１０を胴体ユニット４０の下端係止段差４４に装着固定した状態で、針胴体３０と針３１とを一体として下端に付勢して、胴体ユニット４０の下端に落下させる。
【００３０】
図９は、本発明の第１実施例により、針３１と針胴体３０とが、胴体ユニット４０の下端部に装着したカバー１０内に挿入した状態の、針刺し及び感染防止機能を有する輸液注射針ユニット１００の断面図である。
【００３１】
図９に示しているように、本発明の第１実施例による針刺し及び感染防止機能を有する輸液注射針ユニット１００において、針フィルム２０を患者に注射した後、針刺し及び感染を防止するために、ユーザの力で針胴体３０を下端に移動させると、針胴体３０の装着突起３２が胴体ユニット４０の挿入孔４１に形成された係止溝４２から脱着されることで、針３１と針胴体３０とが一体として下端に落下されて、カバー１０内に挿入することになる。
【００３２】
そこで、使用後、針胴体３０と針３１とが胴体ユニット４０の下端に装着したカバー１０の内に引き込まれて、針刺し及び感染を防止することができることになる。
【００３３】
以下では、本発明の第２実施例による針刺し及び感染防止機能を有する輸液注射針ユニット１００の構成及び機能について、説明する。まず、図１０は、本発明の第２実施例による針刺し及び感染防止機能を有する輸液注射針ユニット１００の分解斜視図であり、図１１は、本発明の第２実施例による針刺し及び感染防止機能を有する輸液注射針ユニット１００の断面図である。
【００３４】
図１０及び図１１に示しているように、本発明の第２実施例による針刺し及び感染防止機能を有する輸液注射針ユニット１００は、前述した第１実施例と同様に、カバー１０と、針フィルム２０と、針胴体３０と、胴体ユニット４０とを含む。
【００３５】
また、本発明の第２実施例によるカバー１０の閉塞面の上端内部の一側には、吸収層１３が設けられて、針フィルム２０の注射時に生じる血液などを吸収して、感染を防止する。また、内部中段の一側には、後述するように、針刺し及び感染を防止するために、使用後、針３１と針胴体３０とがカバー内に引き込まれるとき、外部へのずれを防止するずれ止め１２が設けられる。
【００３６】
図１０及び図１１に示しているように、カバー１０の下端内面には、装着溝１１が設けられて、胴体ユニット４０の上端外側面に、円周方向に形成された上端係止段差４３に装着され、針フィルム２０を患者の血管に注射する前に、カバー１０を胴体ユニット４０の上端係止段差４３から脱着させ、下端外側面に円周方向に形成された下端係止段差４４に装着するように構成される。
【００３７】
また、本発明の第２実施例による針フィルム２０は、通常の針フィルムのように、内部に針３１が挿入され、針３１と針フィルム２０とを患者の血液に注射した後、針フィルム２０だけが脱着するように構成される。 針フィルム２０の下端には、拡管部２１が形成され、内部に注入孔２２が設けられる。本発明の第２実施例による針フィルム２０の拡管部２１は、図１１に示しているように、注入前に、胴体ユニット４０の上端部に上部に突設した切開部５２を有する管状の挿入ユニット５０の外面に嵌合して、針胴体３０を固定することになり、針フィルム２０を患者の血管に注入した後は、輸液注入ホースが針フィルム２０の拡管部２１に挿入、装着される。
【００３８】
本発明の第２実施例による針胴体３０は、図１０及び図１１に示しているように、上端に針３１が挿入固定され、外面一側に装着突起３２が設けられる。このような針胴体３０は、弾性体からなることが望ましい。また、本発明の第２実施例による針胴体３０は、胴体ユニット４０の上端に設けられた挿入ユニット５０内に挿入されて、針フィルム２０の拡管部２１により装着される。そこで、針フィルム２０の拡管部２１が、胴体ユニット４０の挿入ユニット５０の外面に嵌合する場合、圧着力で針胴体３０が挿入ユニット５０に固定され、針フィルム２０を患者の血管に注入して脱着させると、自然に、挿入ユニット５０の圧着力が解除されて、針胴体３０と針３１とが一体として胴体ユニット４０の挿入孔４１内に落下される。
【００３９】
本発明の第２実施例による胴体ユニット４０には、図１０及び図１１に示しているように、上端外周面に形成された上端係止段差４３と、下端外周面に形成された下端係止段差４４と、内部を貫通する挿入孔４１とが形成されている。そこで、針フィルム２０を患者の血管に引き込む前の保管状態で、カバー１０の装着溝１１は、胴体ユニット４０の上端係止段差４３に装着固定され、針フィルム２０を注射する前に、カバー１０を上端係止段差４３から脱着させ、下端係止段差４４に固定することになる。
【００４０】
また、本発明の第２実施例による胴体ユニット４０の上端面には、図１０及び図１１に示しているように、多数の把持部５１と、把持部５１の間に形成された切開部５２とからなる挿入ユニット５０が形成されている。
【００４１】
そこで、針フィルム２０が着脱する前には、針フィルム２０の拡管部２１が挿入ユニット５０の外面に嵌合しながら、圧着力を供して針胴体３０を固定し、針フィルム２０を患者の血管に注射して脱着した後は、挿入ユニット５０への圧着力が解除されて、針胴体３０と針３１とが一体として下端に落下される。
【００４２】
以下では、本発明の第２実施例による針刺し及び感染防止機能を有する輸液注射針ユニット１００の作動方法について、説明する。まず、針フィルム２０を患者の血管に注射する前の保管状態では、図１１に示しているように、針胴体３０が胴体ユニット４０の挿入ユニット５０に挿入固定され、針フィルム２０が針３１に嵌合している状態で、カバー１０の装着溝１１が、胴体ユニット４０の上端係止段差４３に装着固定されることで、針３１と針フィルム２０からの針刺し及び感染を防止することができるようになる。
【００４３】
針フィルム２０を患者に注射するため、ユーザは、まず、カバー１０を上端係止段差４３から脱着させ、下端係止段差４４に固定する。図１２は、本発明の第２実施例によるカバー１０が上端係止段差４３から脱着して、下端係止段差４４に固定された状態の、針刺し及び感染防止機能を有する輸液注射針ユニット１００の断面図である。
【００４４】
図１２に示しているように、本発明の第２実施例による針刺し及び感染防止機能を有する輸液注射針ユニット１００の針フィルム２０を患者に注射するためには、まず、胴体ユニット４０の上端係止段差４３に装着したカバー１０を着脱させ、下端係止段差４４に固定する。そして、針３１と針フィルム２０とを一体として患者の血管に引き込ませ、針フィルム２０だけを血管に注入した状態で、本発明の第２実施例による針刺し及び感染防止機能を有する輸液注射針ユニット１００を抜く。
【００４５】
図１３は、本発明の第２実施例による針フィルム２０が着脱した状態の、針刺し及び感染防止機能を有する輸液注射針ユニット１００の断面図である。すなわち、図１３は、針フィルム２０を患者血管に注射して脱着された状態の、針刺し及び感染防止機能を有する輸液注射針ユニット１００の断面図である。 
本発明の第２実施例では、針フィルム２０を脱着した後、前述したように、針フィルム２０の拡管部２１が挿入ユニット５０内の針胴体３０に提供していた圧縮力が解除される。
【００４６】
図１４は、本発明の第２実施例により針３１と針胴体３０とが、胴体ユニット４０の下端部に装着したカバー１０内に挿入された状態の、針刺し及び感染防止機能を有する輸液注射針ユニット１００の断面図である。
【００４７】
図１４に示しているように、本発明の第２実施例による針刺し及び感染防止機能を有する輸液注射針ユニット１００において、針フィルム２０を患者に注射することになると、図１４に示しているように、針フィルム２０が脱着され、自然に、挿入ユニット５０内に固定していた針胴体３０への圧縮力が解除されながら、針胴体３０と針３１とが一体として下端に落下されて、カバー１０の内部に挿入される。
【００４８】
そこで、使用後、針胴体３０と針３１とが、胴体ユニット４０の下端に装着したカバー１０内に引き込まれて、針刺し及び感染を防止することができる。
【符号の説明】
【００４９】
１…従来の輸液注射針ユニット、１０…カバー、１１…装着溝、１２…ずれ止め、１３…吸収層、２０…針フィルム、２１…拡管部、２２…注入孔、３０…針胴体、３１…針、３２…装着突起、４０…胴体ユニット、４１…挿入孔、４２…係止溝、４３…上端係止段差、４４…下端係止段差、５０…挿入ユニット、５１…把持部、５２…切開部、６０…スタンド、１００…針刺し防止機能を有する輸液注射針ユニット。
【図１】
2016527069.tif 000003
【図２】
2016527069.tif 000004
【図３】
2016527069.tif 000005
【図４】
2016527069.tif 000006
【図５】
2016527069.tif 000007
【図６】
2016527069.tif 000008
【図７】
2016527069.tif 000009
【図８】
2016527069.tif 000010
【図９】
2016527069.tif 000011
【図１０】
2016527069.tif 000012
【図１１】
2016527069.tif 000013
【図１２】
2016527069.tif 000014
【図１３】
2016527069.tif 000015
【図１４】
2016527069.tif 000016
【国際調査報告】
2016527069.tif 000017
2016527069.tif 000018
2016527069.tif 000019
2016527069.tif 000020